(57)【要約】【課題】包装箱の収容効率を低下させずに、箱強度を向上すること。【解決手段】包装箱１０であって、側板１１〜１４の蓋板３１〜３４が連設する上縁に交差する側縁に連設される補強片４１〜４４を該側縁の全長に渡って設け、補強片４１〜４４を２つ折り以上に折重ねた状態で側板１３、１４の外側面に貼着してなるもの。【選択図】　図１
2004099120.tif 000002
【特許請求の範囲】
【請求項１】
側板と、側板の下縁に交差する底板と、側板の上縁に交差する蓋板とを、１枚の基材シートによって連設するように設け、底板と側板と蓋板を折曲げて箱状に組立てられる包装箱であって、
側板の蓋板が連設する上縁に交差する側縁に連設される補強片を該側縁の全長に渡って設け、
補強片を２つ折り以上に折重ねた状態で側板の外側面に貼着してなる包装箱。
【請求項２】
前記補強片を相隣る側板と側板の間にそれら側板に連設させて介装した請求項１に記載の包装箱。
【請求項３】
前記側板の外側面の全面に補強片を貼着した請求項１又は２に記載の包装箱。
【発明の詳細な説明】
【０００１】
【発明の属する技術分野】
本発明は、洗剤、食品等が充填される樹脂製等のボトル、スタンディングパウチを梱包するに好適な包装箱に関する。
【０００２】
【従来の技術】
包装箱として、箱本体の底板のコーナー部で側板が交差する箇所に三角柱状の補強柱を立設したものがある（特許文献１）。
【０００３】
【特許文献１】
特許第２９７３８２７号（１頁、４頁、図１）
【０００４】
【発明が解決しようとする課題】
従来技術では、箱本体の内容物収容空間の角部に、補強柱を形成する三角柱が設けられるため、箱本体の内容物収容空間が狭小化し、包装箱の収容効率が悪い。
【０００５】
本発明の課題は、包装箱の収容効率を低下させずに、箱強度を向上することにある。
【０００６】
【課題を解決するための手段】
請求項１の発明は、側板と、側板の下縁に交差する底板と、側板の上縁に交差する蓋板とを、１枚の基材シートによって連設するように設け、底板と側板と蓋板を折曲げて箱状に組立てられる包装箱であって、側板の蓋板が連設する上縁に交差する側縁に連設される補強片を該側縁の全長に渡って設け、補強片を２つ折り以上に折重ねた状態で側板の外側面に貼着してなるようにしたものである。
【０００７】
【発明の実施の形態】
（第１実施形態）（図１〜図３）
包装箱１０は、段ボールシート等の基材シート等によって構成され、図３に示す展開状態で、前後の側板１１、１２と左右の側板１３、１４と、各側板１１〜１４の下縁に交差する底板２１〜２４と、各側板１１〜１４の上縁に交差する蓋板３１〜３４を、１枚の基材シートによって連設するように設け、側板１１〜１４と底板２１〜２４と蓋板３１〜３４を折曲げて箱状に組立てられる。
【０００８】
包装箱１０は、側板１１と側板１３の間、側板１１と側板１４の間、側板１２と側板１４の間のそれぞれに、それら側板１１〜１４の上縁に交差する側縁に連接する補強片４１〜４３を介装するとともに、側板１２の上縁に交差する側縁に連設する補強片４４を備える。補強片４４には糊付片４５が連設する。補強片４１〜４４は、それらが連設する側板１１〜１４の側縁の全長に渡って設けられる（補強片４１〜４４の全高は側板１１〜１４の全高と同じ）。
【０００９】
包装箱１０の組立ては、図２に示す如く、各補強片４１〜４４のそれぞれを２つ折りし（３つ折り以上でも可）、２つ折りした補強片４１、４４（例えば４１Ａと４１Ｂ、４４Ａと４４Ｂ）を接着剤を介して左側板１３の外側面に貼着し（図２（Ｃ）、（Ｄ））、２つ折りした補強片４２、４３を接着剤を介して右側板１４の外側面に貼着し、包装箱１０の側板１１〜１４を四角枠状につないだ胴部を構成する。尚、補強片４４は糊付片４５を介して左側板１３に貼着される他、補強片４４Ｂと糊付片４５の間に左側板１３の側縁を挟み込み貼着されても良い（図２（Ｅ））。また、補強片４４は糊付片４５を伴なうことを必須とせず、糊付片４５を撤去し、糊付片４４Ｂを左側板１３の側面に貼着しても良い。
【００１０】
即ち、包装箱１０は、相対する左側板１３と右側板１４の外側面のそれぞれに補強片４１、４４と補強片４２、４３を貼着する。
【００１１】
包装箱１０は、側板１１〜１４による胴部を形成した後、側板１１〜１４の下縁に連設している底板２１〜２４を互いに組込んで底部を形成する。そして、ボトル、スタンディングパウチ等の内容物を収容した後、側板１１〜１４の上縁に連設している蓋板３１〜３４を互いに組込んで閉蓋する。
【００１２】
包装箱１０の物流段階、店頭陳列段階では、包装箱１０を段積みする。包装箱１０の店頭陳列段階では、図１（Ｂ）に示す如く、蓋板３１〜３４を切除し、及び／又は側板１１〜１４を一部切欠いて陳列用開口１５を形成できる。
【００１３】
本実施形態によれば以下の作用がある。
▲１▼包装箱１０の側板１１〜１４における側縁の全長に渡って設けられる補強片４１〜４４を側板１３、１４の外側面に貼着したことにより、箱強度（高さ方向圧縮強度、横方向曲げ強度）を向上できる。このとき、補強片４１〜４４は折重ね状に平面化され、三角柱状のものでないから、箱１０の内容物収容空間を狭小化させず、包装箱１０の収容効率を低下させない。
【００１４】
▲２▼前述▲１▼において、包装箱１０の高さ方向圧縮強度を向上するから、包装箱１０を多段積みしたときにも、包装箱１０の座屈を生じない。また、包装箱１０の耐落下衝撃性も向上する。
【００１５】
▲３▼前述▲１▼において、包装箱１０の横方向曲げ強度も向上するから、包装箱１０の耐落下衝撃性を向上するし、内容物が側板１１〜１４に及ぼす面圧による該側板１１〜１４の胴膨れや破損を防止できる。
【００１６】
▲４▼補強片４１〜４４を側板１３、１４の外側面に貼着したから、補強片４１〜４４が内容物収容空間の側に張り出ることがなく、包装箱１０の収容効率をより向上する。また、側板１３、１４の外面に張り出た補強片４１〜４４の縁は、包装箱１０を取り扱う作業者の手掛けとして利用できる。
【００１７】
▲５▼補強片４１〜４３を相隣る側板１１と側板１３の間、側板１１と側板１４の間、側板１２と側板１４の間で、それら側板１１〜１４に連設させて介装したから、基材シートの単純な折曲げ加工によって補強片４１〜４３を簡易に折重ねて側板１３、１４の外側面に貼着できる。
【００１８】
（第２実施形態）（図４〜図６）
第２実施形態の包装箱１０Ａが第１実施形態の包装箱１０と異なる点は、図４〜図６に示す如く、補強片４１〜４４のそれぞれを４つ折りし、４つ折りした補強片４１〜４４のそれぞれを包装箱１０Ａの４隅部で相交差する側板１１〜１４の両外側面に渡るように、Ｌ形アングル状に折曲げて貼着したことにある。例えば補強片４１を４つ折りした補強片４１Ａ〜４１Ｄは、図５（Ｄ）に示す如く、補強片４１Ａと補強片４１Ｂが前側板１１の外側面に、補強片４１Ｃと補強片４１Ｄが左側板１３の外側面に貼着される。また、補強片４４を４つ折りした補強片４４Ａ〜４４Ｄは、図５（Ｃ）に示す如く、補強片４４Ａと補強片４４Ｂが後側板１２の外側面に、補強片４４Ｃと補強片４４Ｄが糊付片４５を介して左側板１３の外側面に貼着される。尚、補強片４４は糊付片４５を介して左側板１３に貼着される他、補強片４４Ｄと糊付片４５の間に左側板１３の側縁を挟み込み貼着されても良い（図５（Ｅ））。また、補強片４４は糊付片４５を伴なうことを必須とせず、糊付片４５を撤去し、補強片４４Ｂを左側板１３の側面に貼着しても良い。
【００１９】
本実施形態によれば、補強片４１〜４４を包装箱１０Ａの４隅部で相交差する側板１１〜１４の両外側面に渡るようにアングル状に貼着したから、包装箱１０Ａの４隅部の剛性を高め、包装箱１０Ａの強度を一層向上できる。
【００２０】
（第３実施形態）（図７〜図９）
第３実施形態の包装箱１０Ｂが第１実施形態の包装箱１０と異なる点は、図７〜図９に示す如く、側板１３の上縁に交差する側縁に連設する補強片４１を備えるとともに、側板１１と側板１４の間で、側板１１、１４の上縁に交差する側縁に連設する補強片４２を備え、補強片４１、４２の全幅を側板１３、１４の全幅の２倍幅としたことにある。側板１２の側縁には糊付片４５が連設されている。
【００２１】
包装箱１０Ｂは、補強片４１、４２のそれぞれを２つ折りし、２つ折りした補強片４１（４１Ａと４１Ｂ）を接着剤を介して左側板１３の外側面と後側板１２の糊付片４５に併せ貼着するとともに、２つ折りした補強片４２（４２Ａと４２Ｂ）を接着剤を介して右側板１４の外側面に貼着する。
【００２２】
尚、糊付片４５は補強片４１Ａと補強片４１Ｂの間に挟み込み貼着されても良く、補強片４１Ｂの外側面に貼着されても良く、左側板１３の内側面に貼着されても良い。
【００２３】
本実施形態によれば、包装箱１０Ｂの外側面の全面を簡易に多重化し、箱強度を向上できる。
【００２４】
図１０は補強片４１〜４４の貼り位置を例示するものであり、（Ａ）は箱１０の４隅部で左右の側板１３、１４の両側縁に沿ってそれらの外側面に貼着した例（包装箱１０の例）、（Ｂ）は箱１０の４隅部で前後の側板１１、１２の両側縁に沿ってそれらの外側面に貼着した例、（Ｃ）は箱１０の４隅部で側板１１〜１４の一側縁に沿ってそれらの外側面に貼着した例、（Ｄ）は箱１０の４隅部で側板１１〜１４の相交差する両外側面に渡るように貼着した例（包装箱１０Ａの例）である。
【００２５】
【発明の効果】
本発明によれば、包装箱の収容効率を低下させずに、箱強度を向上することができる。
【図面の簡単な説明】
【図１】図１は第１実施形態の包装箱を示す模式図である。
【図２】図２は包装箱の横断面図である。
【図３】図３は包装箱の展開図である。
【図４】図４は第２実施形態の包装箱を示す模式図である。
【図５】図５は包装箱の横断面図である。
【図６】図６は包装箱の展開図である。
【図７】図７は第３実施形態の包装箱を示す模式図である。
【図８】図８は包装箱の横断面図である。
【図９】図９は包装箱の展開図である。
【図１０】図１０は包装箱における補強片の貼り位置を示す模式図である。
【符号の説明】
１０、１０Ａ、１０Ｂ　包装箱
１１〜１４　側板
２１〜２４　底板
３１〜３４　蓋板
４１〜４４　補強片
【図１】
2004099120.tif 000003
【図２】
2004099120.tif 000004
【図３】
2004099120.tif 000005
【図４】
2004099120.tif 000006
【図５】
2004099120.tif 000007
【図６】
2004099120.tif 000008
【図７】
2004099120.tif 000009
【図８】
2004099120.tif 000010
【図９】
2004099120.tif 000011
【図１０】
2004099120.tif 000012